(57)【要約】【課題】例えばテレビ及びリモコン装置に対しリモコン探知等の機能があらかじめ組み込まれていない一般のものであっても、後から容易に設置して利用できるとともに、低コスト化をも実現するリモコン呼出装置を提供する。【解決手段】所要の場所に設置されて、一または複数のスイッチ１３等を備え、各スイッチ１３，１４，１５等の操作に応じて複数種のリモコン呼出信号を発信する発信手段１１と、自己に対するリモコン信号を受信した際に起動信号を出力する受信部４２Ａ，４２Ｂ，４２Ｃ、当該起動信号を入力して音響信号を出力する音響信号出力部４３、及び、当該音響信号に応じて鳴動乃至楽音を出力する発音出力部４４を備えて成る音響出力手段２１Ａ，２１Ｂ，２１Ｃとを備え、音響出力手段２１Ａ，２１Ｂ，２１Ｃ等を、一または複数のリモコン装置３１Ａ，３１Ｂ，３１Ｃ等に配置する。【選択図】　　　図１
2004029903.tif 000002
【特許請求の範囲】
【請求項１】
付設手段を介し所要の場所に設置されて、一または複数のスイッチを備え、スイッチの操作に応じて各別のリモコン呼出信号を発信する発信手段と、
自己に対する上記リモコン信号を受信した際に起動信号を出力する受信部、当該起動信号を入力して音響信号を出力する音響信号出力部、及び、当該音響信号に応じて鳴動乃至楽音を出力する発音出力部を備えて成る音響出力手段とを備えて成り、
上記音響出力手段をリモコン装置に配置することを特徴とするリモコン呼出装置。
【請求項２】
上記音響出力手段を、電源とともにリモコン装置の電池蓋に構成して成ることを特徴とする請求項１記載のリモコン呼出装置。
【請求項３】
上記音響出力手段を、ツマミの操作で開閉して上記リモコン装置側の電池の端子を挟持し電気的接続を図る接続端子を先端に備えた電源入力配線とともに、上記リモコン装置の電池蓋に構成して成ることを特徴とする請求項１記載のリモコン呼出装置。
【請求項４】
上記音響出力手段を、電源とともに専用の単体のハウジング内に構成し、取付手段を介し上記リモコン装置に設置したことを特徴とする請求項１記載のリモコン呼出装置。
【請求項５】
上記発信手段は、一または複数のスイッチがＯＮ操作された場合に、これに対応する上記リモコン装置の操作対象となる電化製品の電源を入力させる電源入力信号をも発信するようにしてあることを特徴とする請求項１乃至４のうち何れか記載のリモコン呼出装置。
【発明の詳細な説明】
【０００１】
【発明の属する技術分野】
本発明は、例えば各種の家電機器においての遠隔操作のためのリモコン装置を探す場合に、そのリモコン装置に設置した音響出力手段が、テレビや家具等に設置した発信手段からのリモコン呼出信号を受信した際に鳴動乃至楽音を出力することで当該リモコン装置自体の存在を知らせるようにしたリモコン呼出装置に関する。
【０００２】
【従来の技術】
従来から、第一に実開平６−３８３７３号公報のリモコンの探索機能、第二に実用新案登録第３０２３０１５号公報のリモコン探知装置、第三に特開平１１−１６１８７８号公報の物品発見システム等が知られている。この第一の従来例には、テレビ本体に対しスイッチ及び発信機を組み込み、リモコン装置内部に対し受信機を組み込む旨記載されている。第二の従来例には、テレビに対し呼出スイッチ及び送信回路を組み込み、リモコン装置に対し受信回路を組み込む旨記載されている。第三の従来例には、複数の物品それぞれに知覚情報発生装置を取付け、呼出装置によって知覚情報発生装置から知覚情報を発生させて物品の所在を明かにさせる旨記載されている。
【０００３】
【発明が解決しようとする課題】
しかしながら、上述の第一及び第二の従来例においては、テレビに対しスイッチ及び発信機（送信回路）を組み込み、リモコン装置に対し受信機（受信回路）を組み込むという構成であるため、製造メーカが設計段階において少なくともレイアウト設計を考え、かつ製造段階で当該設計に基づく組立て等を行わなければならないものであり、従って、このような設計、製造の成されたもの以外のものにあっては全く対応できない欠点がある。また、第三の従来例においては、呼出装置と、各物品に取付けられる知覚情報発生装置とがあらかじめ別々のものとして構成されているが、呼出装置が、ＣＰＵ、不揮発性メモリ、及び表示部を備える複雑な構成であるため、コスト高となる欠点がある。
【０００４】
本発明は、上記従来の技術の欠点に鑑み成されたものであり、各種の家電機器を遠隔操作するリモコン装置の存在が不明となった場合等に、それらを探すときにその存在を簡単に確認、発見できるようにしたもので、製造メーカ側が例えばテレビ及びリモコン装置に対しリモコン探知装置等の機能をあらかじめに組み込んでいない一般のものであって、既に市販されたものであっても、後から容易に設置して利用できるとともに、低コスト化をも実現できるリモコン呼出装置を提供することを目的とする。
【０００５】
【課題を解決するための手段】
上述した課題を解決するため、本発明にあっては、両面テープ乃至面ファスナー、もしくは永久磁石等の付設手段を介し所要の場所に設置されて、一または複数のスイッチ１３，１４，１５を備え、スイッチ１３，１４，１５の操作に応じて各別のリモコン呼出信号を発信する発信手段１１と、自己に対する上記リモコン信号を受信した際に起動信号を出力する受信部４２Ａ，４２Ｂ，４２Ｃ、当該起動信号を入力して音響信号を出力する音響信号出力部４３、及び、当該音響信号に応じて鳴動乃至楽音を出力する発音出力部４４を備えて成る音響出力手段２１Ａ，２１Ｂ，２１Ｃとを備えて成り、上記音響出力手段２１Ａ，２１Ｂ，２１Ｃをリモコン装置３１Ａ，３１Ｂ，３１Ｃに配置することを特徴とする。
上記音響出力手段２１Ａ，２１Ｂ，２１Ｃは、電源４１とともに上記リモコン装置３１Ａ，３１Ｂ，３１Ｃの電池蓋３２Ａ，３２Ｂ，３２Ｃに構成されて成ることを特徴とする。
上記音響出力手段２１Ａ，２１Ｂ，２１Ｃは、ツマミ５１の操作で開閉して上記リモコン装置３１Ａ，３１Ｂ，３１Ｃ側の電池の端子（図示せず）を挟持し電気的接続を図る接続端子５２を先端に備えた電源入力配線５３とともに、上記リモコン装置３１Ａ，３１Ｂ，３１Ｃの電池蓋３２Ａ，３２Ｂ，３２Ｃに構成されて成ることを特徴とする。
上記音響出力手段６１Ａ，６１Ｂ，６１Ｃ（２１Ａ，２１Ｂ，２１Ｃ）は、電源４１とともに専用の単体のハウジング６２Ａ，６２Ｂ，６２Ｃ内に構成され、両面テープ乃至面ファスナー６４、もしくは専用ベルト等の取付手段を介し上記リモコン装置３１Ａ，３１Ｂ，３１Ｃに設置されたことを特徴とする。
上記発信手段１１は、一または複数のスイッチ１３，１４，１５がＯＮ操作された場合に、これに対応する上記リモコン装置２１Ａ，２１Ｂ，２１Ｃ（６１Ａ，６１Ｂ，６１Ｃ）の操作対象となる電化製品（テレビ、ステレオ、もしくはエアコン等）の電源を入力させる電源入力信号をも発信することを特徴とする。
【０００６】
以上のように構成された本発明にあって、発信装置１１のスイッチ１３，１４，１５のうち、スイッチ１３をＯＮ操作した場合、内部の発信回路、及び周波数変換回路が駆動し第一の周波数のリモコン呼出信号が発信されて、例えばテレビ用のリモコン装置３１Ａの第一の音響出力装置２１Ａ（６１Ａ）の受信部４２Ａに受信され、音響信号出力部４３に対し起動信号が出力される。そのため、音響信号出力部４３が発音出力部４４に対し音響信号を出力し、発音出力部４４から鳴動音乃至楽音を出力させ、テレビ用のリモコン装置３１Ａの存在場所を一意に知らせる。
スイッチ１４がＯＮ操作された場合には、第二の周波数のリモコン呼出信号が発信されて、例えばステレオ用のリモコン装置３１Ｂ（６１Ｂ）の受信部４２Ｂに受信され、以下同様にして、発音出力部４４から鳴動音乃至楽音を出力させ、ステレオ用のリモコン装置３１Ｂの存在場所を一意に知らせる。
スイッチ１５をＯＮ操作した場合も、同様にして、例えばエアコン用のリモコン装置３１Ｃ（６１Ｂ）側の第三の音響出力装置２１Ｃ内部の発音出力部４４から鳴動音乃至楽音を出力させ、エアコン用のリモコン装置３１Ｃの存在場所を一意に知らせる。
また、発信手段１１を、スイッチ１３，１４，１５をＯＮ操作した場合に、対応するリモコン装置３１Ａ等の操作対象であるテレビ等の電源を入力させる電源入力信号をも発信するように構成した場合、リモコン装置３１Ａ等を探している最中にテレビ映像等を享受することも可能となり、使用者の苛々を和らげ、機能の充実を図ることができる。
【０００７】
【発明の実施の形態】
以下、図１及び図２を参照して本発明の第一の実施の形態を説明する。図１において、符号１１は発信手段としての発信装置であり、両面テープ乃至面ファスナー、もしくは永久磁石等の付設手段を介し所要の場所として例えばテレビ１２の画面下のハウジング部分に設置されている。この発信装置１１の外面側には、一つでも良いが、本例の場合、三種類のリモコン呼出信号を発信するため三つのスイッチ１３，１４，１５が備えられている。内部には、電源とともに、各スイッチ１３，１４，１５と一対一の対応関係のある三種類のリモコン呼出信号を発信できる発信回路（図示せず）が備えられている。この発信回路は、例えば三つの入力端子（図示せず）を備えており、各入力端子には各スイッチ１３，１４，１５の出力端子（図示せず）が一対一に対応して電気的に接続可能となっている。そして、この発信回路は、各スイッチ１３，１４，１５のうち何れかの操作に応じた入力端子からの電流乃至電圧の入力があった場合に、例えばそれに対応した周波数変換回路（図示せず）を通し所定周波数のリモコン呼出信号を発信する。具体的には、スイッチ１３がＯＮ操作された場合は第一の周波数のリモコン呼出信号を発信し、スイッチ１４がＯＮ操作された場合は第二の周波数のリモコン呼出信号を発信し、スイッチ１５がＯＮ操作された場合は第三の周波数のリモコン呼出信号を発信する。尚、図示しないが発信装置１１には発信回路に接続された送信アンテナが装着されているものである。
【０００８】
一方、図１において、符号２１Ａ，２１Ｂ，２１Ｃは音響出力手段としての第一乃至第三の音響出力装置であり、各々、電化製品として、例えばテレビ用のリモコン装置３１Ａの背面側の電池蓋３２Ａの内部、例えばステレオ用のリモコン装置３１Ｂの背面側の電池蓋３２Ｂの内部、例えばエアコン用のリモコン装置３１Ｃの背面側の電池蓋３２Ｃの内部に構成されている。第一乃至第三の音響出力装置２１Ａ，２１Ｂ，２１Ｃの構成は、基本的には各々一様に等しいものであり、図２（Ａ）、（Ｂ）にも示すように、電池蓋３２Ａ，３２Ｂ，３２Ｃにおいて、各リモコン装置３１Ａ，３１Ｂ，３１Ｃの背面と同一面となる最も広い領域の例えば内面側に対し、電源としての小型電池４１、自己に対する周波数のリモコン信号を受信した際に起動信号を出力する受信部４２Ａ，４２Ｂ，４２Ｃ、当該起動信号を入力して音響信号を出力する音響信号出力部（例えば、内部にタイマを備えて所定時間の間のみ駆動するか、図示しない専用スイッチがＯＮ操作されるまで駆動する）４３、及び、当該音響信号に応じて鳴動乃至楽音を出力する発音出力部（スピーカ）４４を電気的に接続して備えた構成となっている。特に、第一の音響出力装置２１Ａの受信部４１Ａは、第一の周波数のリモコン呼出信号を受信する設定が成され、第二の音響出力装置２１Ｂの受信部４１Ｂは、第二の周波数のリモコン呼出信号を受信する設定が成され、第三の音響出力装置２１Ｃの受信部４１Ｃは、第三の周波数のリモコン呼出信号を受信する設定が成されている。尚、図示しないが各音響出力装置２１Ａ，２１Ｂ，２１Ｃには、受信アンテナが構成されているものであり、また、音響出力装置２１Ａ，２１Ｂ，２１Ｃによって出力される鳴動乃至楽音はそれぞれが異なるものとされることで、それらの相互の識別を容易にすることができる。。
【０００９】
また、各電池蓋３２Ａ，３２Ｂ，３２Ｃの内面側には、閉塞蓋４５を装着することで、第一乃至第三の音響出力装置２１Ａ，２１Ｂ，２１Ｃの上述の内部構成を隠し、かつ保護するものとなっているが、閉塞蓋４５の小型電池４１に対応する位置には小型電池交換用の小さな蓋（図示せず）も構成されている。そして、各電池蓋３２Ａ，３２Ｂ，３２Ｃにおいて、発音出力部４４に対応する位置には複数の小孔が形成されて音の放出性への配慮が成されている。
【００１０】
次に、本実施の形態のリモコン呼出装置の使用の一例について説明すると、先ず発信装置１１のスイッチ１３，１４，１５のうち、スイッチ１３をＯＮ操作した場合、内部の発信回路、及び周波数変換回路が駆動し第一の周波数のリモコン呼出信号が発信されるものとなり、テレビ用のリモコン装置３１Ａの第一の音響出力装置２１Ａの受信部４２Ａがこれを受信する。そして、内部の音響信号出力部４３に対し起動信号を出力し、このため音響信号出力部４３が発音出力部４４に対し音響信号を出力し、発音出力部４４から鳴動音乃至楽音を出力させ、この鳴動音乃至楽音をもってテレビ用のリモコン装置３１Ａの存在場所を一意に知らせることができる。また、スイッチ１４がＯＮ操作された場合には、発信装置１１から第二の周波数のリモコン呼出信号が発信されて、ステレオ用のリモコン装置３１Ｂの受信部４２Ｂがこれを受信し、以下同様にして、内部の発音出力部４４から鳴動音乃至楽音を出力させ、ステレオ用のリモコン装置３１Ｂの存在場所を一意に知らせることができる。更には、スイッチ１５をＯＮ操作した場合も、同様にして、エアコン用のリモコン装置３１Ｃ側の第三の音響出力装置２１Ｃ内部の発音出力部４４から鳴動音乃至楽音を出力させ、エアコン用のリモコン装置３１Ｃの存在場所を一意に知らせることができる。
【００１１】
尚、上記発信装置１１には、各スイッチ１３，１４，１５のＯＮ操作に対応するリモコン装置３１Ａ，３１Ｂ，３１Ｃの何れかの操作対象となる電化製品、即ちテレビ、ステレオ、エアコン等の電源入力を行わせる電源入力信号をも発信するように構成しても良い。この場合、リモコン装置３１Ａ等を探している最中にもテレビ映像等を視聴することが可能となる。
【００１２】
また、第一の実施の形態においては、第一乃至第三の音響出力装置２１Ａ，２１Ｂ，２１Ｃに対しあらかじめ小型電池４１を備える場合を例に説明したが、本発明の要旨はこれに限定されるものではなく、例えば単４電池や単３電池を用いる構成を採用したり、あるいは図３に示すように、内部の電源入力回路に対し、ツマミ５１の操作で開閉してリモコン装置３１Ａ，３１Ｂ，３１Ｃ側の電池の端子（図示せず）を挟持し電気的接続を図る接続端子５２，５２を先端に備えた電源入力配線５３，５３を用いて電源投入する構成を採用しても良い。
【００１３】
次に、図４及び図５を参照して本発明の第二の実施の形態を説明する。尚、図１及び図２に示す部分と同一部分には同一符号を付して詳しい説明は省略する。本実施の形態の場合、第一乃至第三の音響出力装置６１Ａ，６１Ｂ，６１Ｃは、各々専用の単体のハウジング６２Ａ，６２Ｂ，６２Ｃ内に対し、第一の実施の形態の場合と同様に、小型電池４１、受信部４２Ａ，４２Ｂ，４２Ｃ、音響信号出力部（例えば、内部にタイマを備えて所定時間の間のみ駆動するか、図示しない専用スイッチがＯＮ操作されるまで駆動する）４３、及び、鳴動乃至楽音を出力する発音出力部（スピーカ）４４を電気的に接続して実装した構成となっている。この専用の単体のハウジング６２Ａ，６２Ｂ，６２Ｃは、内側の面が閉塞蓋（小型電池交換用の小蓋をも有する）６３で閉塞されており、両面テープ乃至面ファスナー６４、あるいは永久磁石、もしくは専用ベルト等の取付手段を介して、各々、リモコン装置６１Ａ，６１Ｂ，６１Ｃの背面側の所要の位置として、例えば、本例の場合も電池蓋３２Ａ，３２Ｂ，３２Ｃの外面（勿論、他の位置でも良い）に対し装着されている。
【００１４】
本実施の形態の使用の一例については、第一の実施の形態の場合と同様であるため、詳しい説明は省略するが、あらかじめ専用の単体のハウジング６２Ａ，６２Ｂ，６２Ｃに対し構成するため、製造が容易で、かつ汎用性に優れるものであり、低コストの大量生産に適している。
【００１５】
尚、上記発信装置１１は、三つのスイッチ１３，１４，１５を備えて三つのリモコン装置３１Ａ，３１Ｂ，３１Ｃに対応できるものとして説明したが、更に多くのスイッチを備えて、更に多くの電化製品に対応するリモコン装置にも適用できるように構成しても良いことは勿論である。
【００１６】
【発明の効果】
本発明は以上のように構成されているために、製造メーカ側が、例えばテレビ及びリモコン装置に対しあらかじめリモコン探知装置等の機能を組み込んでいない一般のものであって、既に市販されているものであっても、後から容易に組み込み設置して利用することができ、しかも構成部品の点数が少なく低コスト化をも実現することができる。
【００１７】
即ち、これは本発明において、両面テープ乃至面ファスナー、あるいは永久磁石等の付設手段を介しテレビや家具等の所要の場所に設置されて、一または複数のスイッチ１３，１４，１５を備え、スイッチ１３等の操作に応じて各別のリモコン呼出信号を発信する発信手段としての発信装置１１と、自己に対する上記リモコン信号を受信した際に起動信号を出力する受信部４２Ａ，４２Ｂ，４２Ｃ、当該起動信号を入力して音響信号を出力する音響信号出力部４３、及び、当該音響信号に応じて鳴動乃至楽音を出力する発音出力部４４を備えた音響出力手段としての音響出力装置２１Ａ，２１Ｂ，２１Ｃとを備えて成るからであり、これによって、製造メーカ側が設計、製造に関し種々検討しなくとも、即ち換言すれば、一般の電化製品であり既に販売されているものであっても、ユーザ側の後からの設置が極めて容易で扱い易く、しかも低コスト生産が容易である分、多くのユーザが購入し易く、これらの観点から産業の発展にも寄与する効果があるのである。
【００１８】
上記音響出力手段２１Ａ，２１Ｂ，２１Ｃを、電源４１とともに上記一または複数のリモコン装置３１Ａ，３１Ｂ，３１Ｃの電池蓋３２Ａ，３２Ｂ，３２Ｃに構成して成るため、非常に機能的で、デザインの面からも優れ、大変に扱い易く、しかも製造メーカ側が独自のラインで製造することも極めて容易であり、総じて製造コストも安く一般に普及し易い効果がある。
【００１９】
上記音響出力手段２１Ａ，２１Ｂ，２１Ｃを、ツマミ５１の操作で開閉して上記リモコン装置３１Ａ，３１Ｂ，３１Ｃ側の電池の端子を挟持し電気的接続を図る接続端子５２を先端に備えた電源入力配線５３とともに、上記一または複数のリモコン装置３１Ａ，３１Ｂ，３１Ｃの電池蓋３２Ａ，３２Ｂ，３２Ｃに構成して成るため、上述の効果に加えて、小型電池の購入を不要として、資源の有効活用を図り、更に低コスト化をも実現する効果がある。
【００２０】
上記音響出力手段６１Ａ，６１Ｂ，６１Ｃ（３１Ａ，３１Ｂ，３１Ｃ）を、電源４１とともに専用の単体のハウジング６２Ａ，６２Ｂ，６２Ｃ内に構成し、両面テープ乃至面ファスナー６４、もしくは専用ベルト等の取付手段を介し上記リモコン装置３１Ａ，３１Ｂ，３１Ｃに設置したため、一つの構成で、多くの種類のリモコン装置に設置することができ、汎用性が高く、生産ライン及び生産コストの効率を向上させる効果がある。
【００２１】
上記発信手段１１は、一または複数のスイッチ１３，１４，１５がＯＮ操作された場合に、これに対応する上記リモコン装置３１Ａ，３１Ｂ，３１Ｃの操作対象となる電化製品（テレビ、ステレオ、もしくはエアコン等）の電源を入力させる電源入力信号をも発信するため、リモコン装置３１Ａ等を探している最中にも電化製品の起動させることができ、本装置の利便性を高め、使用者の苛々を和らげ、製品としての機能をより充実させることができる。
【図面の簡単な説明】
【図１】本発明の第一の実施の形態に係るリモコン呼出装置の構成を説明する説明図である。
【図２】第一の実施の形態における音響出力装置の構成を説明する説明図であり、（Ａ）は側面図、（Ｂ）は内面図である。
【図３】音響出力装置の変形例を説明する側面図である。
【図４】本発明の第二の実施の形態に係るリモコン呼出装置の構成を説明する説明図である。
【図５】第二の実施の形態における音響出力装置の構成を説明する説明図であり、（Ａ）は側面図、（Ｂ）は内面図である。
【符号の説明】
１１…発信装置　　　　　　　　　　　　１２…テレビ
１３…スイッチ　　　　　　　　　　　　１４…スイッチ
１５…スイッチ
２１Ａ…第一の音響出力装置　　　　　　２１Ｂ…第二の音響出力装置
２１Ｃ…第三の音響出力装置
３１Ａ…リモコン装置　　　　　　　　　３１Ｂ…リモコン装置
３１Ｃ…リモコン装置　　　　　　　　　３２Ａ…電池蓋
３２Ｂ…電池蓋　　　　　　　　　　　　３２Ｃ…電池蓋
４１…小型電池　　　　　　　　　　　　４２Ａ…受信部
４２Ｂ…受信部　　　　　　　　　　　　４２Ｃ…受信部
４３…音響信号出力部　　　　　　　　　４４…発音出力部
４５…閉塞蓋
５１…ツマミ　　　　　　　　　　　　　５２…接続端子
５３…電源入力配線
６１Ａ…第一の音響出力装置　　　　　　６１Ｂ…第二の音響出力装置
６１Ｃ…第三の音響出力装置　　　　　　６２Ａ…ハウジング
６２Ｂ…ハウジング　　　　　　　　　　６２Ｃ…ハウジング
６３…閉塞蓋　　　　　　　　　　　　　６４…面ファスナー
【図１】
2004029903.tif 000003
【図２】
2004029903.tif 000004
【図３】
2004029903.tif 000005
【図４】
2004029903.tif 000006
【図５】
2004029903.tif 000007